(57)【要約】【課題】付属品係止部に対して付属品を容易に係止できる電気掃除機を提供する。【解決手段】電気掃除機１は、掃除機本体２と、旋回輪17と、風路体３と、付属品係止部26と、を備える。旋回輪17は、掃除機本体２の底部に旋回可能に取り付けられる。付属品係止部26は、掃除機本体２の底部に設けられ、風路体３を係止する。旋回輪17の周辺と付属品係止部26の規制面28とが段差なく連なって、又は旋回輪17の周辺の周辺と付属品係止部26の規制面28が凹段差状に連なって形成されている。【選択図】図１
2020006104.tif 000002
【特許請求の範囲】
【請求項１】
掃除機本体と、
前記掃除機本体の底部に旋回可能に取り付けられた旋回輪と、
前記掃除機本体に接続された付属品と、
前記掃除機本体の底部に設けられ、前記付属品を係止する付属品係止部と、を備え、
前記旋回輪の周辺と前記付属品係止部の規制面とが段差なく連なって形成されている
ことを特徴とする電気掃除機。
【請求項２】
掃除機本体と、
前記掃除機本体の底部に旋回可能に取り付けられた旋回輪と、
前記掃除機本体に接続された付属品と、
前記掃除機本体の底部に設けられ、前記付属品を係止する付属品係止部と、を備え、
前記旋回輪の周辺に対して前記付属品係止部の規制面が凹段差状に連なって形成されている
ことを特徴とする電気掃除機。
【請求項３】
前記付属品係止部は、前記旋回輪の側面部の接線上に配置されている
ことを特徴とする請求項１または２記載の電気掃除機。
【請求項４】
前記旋回輪の側面部は、前記付属品係止部へと前記付属品をガイドするガイド部である
ことを特徴とする請求項１ないし３いずれか一記載の電気掃除機。
【請求項５】
前記旋回輪の周辺から前記付属品係止部に連なり前記付属品係止部へと前記付属品をガイドする付属品ガイド部を備えた
ことを特徴とする請求項１ないし４いずれか一記載の電気掃除機。
【発明の詳細な説明】
【技術分野】
【０００１】
本発明の実施形態は、掃除機本体の底部に設けられた付属品係止部に対して付属品を係止可能な電気掃除機に関する。
【背景技術】
【０００２】
従来、キャニスタ型の電気掃除機は、掃除機本体に対して、付属品としてホース体や延長管等を備える風路体が接続される。このような電気掃除機は、使用していないときには、掃除機本体を立たせ、掃除機本体に対して付属品を係止保持してコンパクトに収納することが可能となっている。
【０００３】
付属品を係止保持する付属品係止部は、掃除機本体の底部等に形成され、掃除機本体を立たせたときに上方に開口される。そして、付属品係止部に対して、付属品を上方から挿入することで、付属品が保持係止される。このような付属品係止部に対して、付属品の係止作業をより容易にすることが望まれている。
【先行技術文献】
【特許文献】
【０００４】
【特許文献１】特開平１０−１７９４８１号公報
【発明の概要】
【発明が解決しようとする課題】
【０００５】
本発明が解決しようとする課題は、付属品係止部に対して付属品を容易に係止できる電気掃除機を提供することである。
【課題を解決するための手段】
【０００６】
実施形態の電気掃除機は、掃除機本体と、旋回輪と、付属品と、付属品係止部と、を備える。旋回輪は、掃除機本体の底部に旋回可能に取り付けられる。付属品は、掃除機本体に接続される。付属品係止部は、掃除機本体の底部に設けられ、付属品を係止する。旋回輪の周辺と付属品係止部の規制面とが段差なく連なって、又は旋回輪の周辺と付属品係止部の規制面が凹段差状に連なって形成されている。
【図面の簡単な説明】
【０００７】
【図１】(a)は第１の実施形態の電気掃除機の図２のＩ−Ｉ相当位置の断面図、(b)は付属品係止部に付属品を係止した電気掃除機の収納状態での図２のＩ−Ｉ相当位置の断面図である。
【図２】同上電気掃除機の収納時の掃除機本体の底部の一部の側面図である。
【図３】(a)は付属品を付属品係止部に挿入する動作の側面図、(b)は(a)に続く動作の側面図、(c)は(b)に続き付属品が付属品係止部に係止される状態の側面図である。
【図４】同上電気掃除機の収納状態の斜視図である。
【図５】同上電気掃除機の使用状態の斜視図である。
【図６】第２の実施形態の電気掃除機の収納時の掃除機本体の底部の一部の側面図である。
【発明を実施するための形態】
【０００８】
(第１の実施形態)
以下、第１の実施形態について図面を参照して説明する。
【０００９】
図５において、１は電気掃除機である。電気掃除機１は、本実施形態において、ユーザが床面上を走行させて移動させ、床面上の塵埃を掃除する床面を掃除する。本実施形態では、電気掃除機１として、キャニスタ型の電気掃除機を例に挙げて説明する。以下、本実施形態において、前後方向、左右方向および上下方向は、キャニスタ型の電気掃除機１を床面等の平面に載置した状態を基準として説明する。
【００１０】
電気掃除機１は、掃除機本体２を備えている。掃除機本体２には、本実施形態において、付属品である風路体３が着脱可能に接続される。風路体３は、吸込風路を形成するものである。風路体３は、本実施形態において、ホース体４、延長管５、および、吸込口体６を備えている。また、風路体３は、ユーザが把持操作する操作部７を備えている。操作部７には、電気掃除機１の起動および停止を設定する設定手段８が配置されている。さらに、風路体３は、収納状態で風路体３を掃除機本体２に係止するための被係止部９を備えている。被係止部９は、風路体３の先端側に向かって屈曲するフック状に形成されている。被係止部９は、本実施形態において、延長管５に形成されているが、吸込口体６等に形成されていてもよい。
【００１１】
掃除機本体２には、吸込口11が形成されている。吸込口11は、掃除機本体２の前端に位置している。本実施形態において、吸込口11には風路体３が接続される。また、掃除機本体２には、集塵部12が設けられている。集塵部12は、吸込口11と連通する。集塵部12は、掃除機本体２に対して着脱可能な紙パックやフィルタ等でもよいし、集塵カップでもよい。
【００１２】
また、掃除機本体２は、塵埃を集塵部12に吸い込む吸引源となる電動送風機13を備えている。さらに、掃除機本体２は、電動送風機13を制御する制御部、および、電動送風機13等に給電する電源部等を備えている。電源部としては、外部電源から給電するためのコードリール装置又は二次電池等が用いられる。
【００１３】
さらに、図２に示すように、掃除機本体２は、走行輪16を回転自在に備えている。本実施形態の走行輪16は、掃除機本体２の後部の両側に配置されている。また、掃除機本体２は、旋回輪17を備えている。旋回輪17は、掃除機本体２の底部の左右方向の中央部に配置されている。以下、掃除機本体２の底部又は底面とは、電気掃除機１の走行時又は掃除時に掃除機本体２において床面と対向する部分又は面をいう。また、本実施形態の旋回輪17は、掃除機本体２の底部において、前後方向の中央部よりも前側の位置に配置されている。以下、旋回輪17の前後等、前後方向については、電気掃除機１の走行時又は掃除時を基準とする。さらに、旋回輪17は、掃除機本体２に対して旋回可能に設けられている。本実施形態の旋回輪17は、掃除機本体２に対して左右方向に旋回自在のカバー部19を備えている。カバー部19は、円形状に形成されている。また、カバー部19は、中央部が掃除機本体２に対して軸支されている。さらに、カバー部19は、外周縁を構成する側面部20が上下方向に立ち上がって形成されている。さらに、旋回輪17は、車輪21を備えている。車輪21は、カバー部19の中央部から外周寄りにずれた位置に配置されている。また、車輪21は、カバー部19の径方向に対して交差又は直交する方向に沿って回動軸21aを有している。回動軸21aは、カバー部19に回転自在に支持されている。また、図１(a)および図２に示すように、旋回輪17は、掃除機本体２の底部に形成された旋回輪取付部23に取り付けられている。旋回輪取付部23は、本実施形態において、掃除機本体２の底部に凹段差状に形成されている。本実施形態の旋回輪取付部23は、掃除機本体２の底部の外郭面から段差状に窪んで形成されている。また、旋回輪取付部23は、旋回輪17のカバー部19よりも大きく、かつ、カバー部19と同心状の円形状に形成されている。旋回輪取付部23の天面部である旋回輪17の取付面24は、平面状に形成されている。旋回輪取付部23の天面部とは、電気掃除機１の走行時又は掃除時に旋回輪取付部23の上部となる面をいう。本実施形態において、取付面24は、掃除機本体２における旋回輪17の周辺を構成している。取付面24は、旋回輪17に対向する位置から、旋回輪17の周辺に延出する部分に亘り形成されている。本実施形態の取付面24は、旋回輪17の一側方から後方に延出している。
【００１４】
また、掃除機本体２は、被係止部９を保持することで風路体３を係止保持する付属品係止部26を備えている。付属品係止部26は、掃除機本体２の底部に形成されている。また、付属品係止部26は、掃除機本体２の左右方向の一側に偏って配置されている。さらに、本実施形態の付属品係止部26は、掃除機本体２の底部において前後方向の中央部よりも前側の位置に配置されている。付属品係止部26は、旋回輪17の中央部よりも後側にて旋回輪17の一側方に位置して配置されている。付属品係止部26は、旋回輪17から一側方に延出する取付面24の後方に位置している。また、付属品係止部26は、旋回輪17の側面部であるカバー部19の側面部20の接線上に少なくとも一部が形成されている。本実施形態の付属品係止部26は、カバー部19の側面部20に対して前後方向に沿う接線上に形成されている。さらに、付属品係止部26は、掃除機本体２の底面の前方および下方に向かって開口され、後方が閉塞されている。本実施形態の付属品係止部26は、掃除機本体２の後部を床面等の載置面上に立てた状態で上側が開口されるポケット状になっている。付属品係止部26は、掃除機本体２の底部に凹段差状に形成されている。本実施形態の付属品係止部26は、掃除機本体２の底部の外郭面から段差状に窪んで形成されている。
【００１５】
また、付属品係止部26には、係止片部27が形成されている。本実施形態の係止片部27は、左右一対形成され、付属品係止部26に挿入された被係止部９に対して左右から係合されるようになっている。各係止片部27は、掃除機本体２の前後方向に沿ってリブ状に形成されている。さらに、付属品係止部26は、風路体３の位置を規制する規制面28を備えている。規制面28は、係止片部27に対して離れて位置している。また、規制面28は、本実施形態において平面状に形成され、旋回輪取付部23の取付面24に対して面一又は略面一に、段差なく連なっている。ここで、段差なく連なる、とは、規制面28および／又は取付面24に対して垂直な方向に互いに不一致が生じていない状態をいうものとする。規制面28と取付面24とが段差なく連なっている状態としては、互いに同一又は略同一平面上に位置している状態、互いに同一曲面又は略同一曲面に位置している状態等の他に、一方が他方に対して鈍角状に連なっている状態や、一方が他方に対して凹曲面状又は凸曲面状等に連なっている状態等も含まれる。
【００１６】
さらに、掃除機本体２には、旋回輪取付部23から付属品係止部26に亘り、風路体３の被係止部９を付属品係止部26へとガイドする付属品ガイド部30が形成されている。付属品ガイド部30は、旋回輪17の周辺である旋回輪取付部23から、旋回輪17のカバー部19の側面部20の接線方向に沿って付属品係止部26まで直線状に形成された面部である。
【００１７】
次に、第１の実施形態の動作を説明する。
【００１８】
電気掃除機１が起動すると、電動送風機13が動作して負圧を発生させる。ユーザは操作部７を把持操作し、吸込口体６等から床面の塵埃を空気とともに吸い込む。その後、含塵空気は吸込口11から集塵部12へと吸い込まれ、集塵部12において塵埃が分離捕集される。塵埃が分離された空気は電動送風機13に吸い込まれ、電動送風機13を冷却した後、電動送風機13の排気口から排出口を介して掃除機本体２の外部へと排出される。
【００１９】
電気掃除機１を収納する際には、図４に示すように、掃除機本体２を、前側を上方に向けて立たせ、風路体３を掃除機本体２に係止保持する。
【００２０】
まず、掃除機本体２を立たせると、図３(a)に示すように、旋回輪17は、車輪21の重量によって、車輪21が下側に位置する状態となる。風路体３を掃除機本体２に係止する際には、延長管５を捻ってホース体４を巻き付け、吸込口体６を、床面を滑らせながら掃除機本体２側に引き寄せた後、風路体３の被係止部９を、掃除機本体２の付属品係止部26に上方から下方に向けて挿入する。
【００２１】
このとき、被係止部９を取付面24に押し当てつつ旋回輪17の上方から下方へと移動させると、カバー部19の側面部20に対して被係止部９が当接し、図３(b)に示すように旋回輪17が旋回することによって、側面部20に沿って被係止部９がガイドされるとともに、旋回輪17の周辺から付属品係止部26に亘る付属品ガイド部30に沿って被係止部９が旋回輪17の接線方向にガイドされ、取付面24に対して段差なく連なる規制面28に沿って、図３(c)に示すように、被係止部９がそのまま付属品係止部26へと容易に挿入される。図１(b)に示すように、付属品係止部26に挿入された被係止部９は、係止片部27と規制面28との間に保持され、風路体３が掃除機本体２に係止された状態を維持する。また、図３(c)に示すように、旋回輪17は、被係止部９が付属品係止部26に挿入された後、車輪21の重量によって、車輪21が下側に位置する位置に復帰するように旋回する。ホース体４は、延長管５から取り外して延長管５にさらに巻き付けて収納してもよい。
【００２２】
以上説明した第１の実施形態によれば、掃除機本体２の旋回輪17の周辺と付属品係止部26の規制面28とが段差なく連なっているため、風路体３を付属品係止部26に係止する際に、旋回輪17の周辺から付属品係止部26に向かって風路体３の被係止部９を引っ掛かりなく規制面28に沿って滑らせて付属品係止部26に挿入することができ、付属品係止部26に対して風路体３を容易に係止できる。
【００２３】
また、付属品係止部26が旋回輪17の側面部20の接線上に配置されているため、旋回輪17の接線方向に沿って風路体３を移動させることで付属品係止部26に容易に係止できる。
【００２４】
さらに、旋回輪17の側面部20が付属品係止部26へと風路体３をガイドするガイド部となっているため、風路体３を旋回輪17の側面部20に接触させつつ付属品係止部26に向かい移動させることで、付属品係止部26に対して風路体３を容易かつ確実に係止できる。
【００２５】
しかも、旋回輪17は、付属品係止部26へと風路体３をガイドする際に風路体３と接触し、風路体３の移動に伴って旋回するため、旋回輪17の旋回によって風路体３の被係止部９を付属品係止部26に向かい円滑に、かつ、位置精度よく移動させることができる。
【００２６】
また、旋回輪17の周辺から付属品係止部26に連なる付属品ガイド部30によって付属品係止部26へと風路体３をガイドすることで、風路体３をより容易に、かつ、位置精度よく付属品係止部26に向かって移動させることができる。
【００２７】
このように、風路体３の被係止部９と付属品係止部26とを高精度に位置合わせ等することなく、風路体３の被係止部９を旋回輪17周辺から鉛直下方に向けて降ろすだけで、風路体３を付属品係止部26に対して容易に係止できる。
【００２８】
(第２の実施形態)
次に、第２の実施形態について図６を参照して説明する。なお、上記第１の実施形態と同様の構成および作用については、同一符号を付してその説明を省略する。
【００２９】
本実施形態では、掃除機本体２の旋回輪17の周辺に対して付属品係止部26の規制面28が凹段差状に連なって形成されている。規制面28は、旋回輪17の周辺に延びる取付面24に対して窪んで形成されている。規制面28は、取付面24に対して１段のみ窪んでいてもよいし、多段窪んでいてもよいし、傾斜面でもよい。
【００３０】
電気掃除機１を収納する際には、掃除機本体２を、前側を上方に向けて立たせた状態で、風路体３の被係止部９を、掃除機本体２の付属品係止部26に上方から下方に向けて挿入する。このとき、被係止部９を取付面24に押し当てつつ旋回輪17の上方から下方へと移動させると、カバー部19の側面部20や付属品ガイド部30に沿って被係止部９がガイドされつつ、取付面24から凹段差状に連なる規制面28に沿って被係止部９が付属品係止部26へと容易に挿入される。
【００３１】
このように、第２の実施形態によれば、風路体３を付属品係止部26に係止する際に、旋回輪17の周辺から付属品係止部26に向かって風路体３の被係止部９を滑らせると、旋回輪17の周辺から規制面28に移る際に段差はあるものの、この段差が凹段差状であるため、風路体３の被係止部９が段差に引っ掛かって移動が阻害されることはなく、風路体３の被係止部９を、旋回輪17の周辺と規制面28との段差部分を超えて規制面28に沿って滑らせて付属品係止部26に挿入することができ、付属品係止部26に対して風路体３を容易に係止でき、また、コンパクト化を図ることができる。
【００３２】
なお、上記各実施形態において、付属品を風路体３としたが、その他、例えばつる口等の吸込口体等、任意の付属品を付属品係止部26に係止する構成としてもよい。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１    電気掃除機
２    掃除機本体
３    付属品である風路体
17    旋回輪
20    側面部
26    付属品係止部
28    規制面
30    付属品ガイド部
【図１】
2020006104.tif 000003
【図２】
2020006104.tif 000004
【図３】
2020006104.tif 000005
【図４】
2020006104.tif 000006
【図５】
2020006104.tif 000007
【図６】
2020006104.tif 000008